(57)【要約】【課題】発光する造花部を有し、発光時における当該造花部の装飾性、意外性などに優れた照明装置および照明スタンドを提供すること。【解決手段】発光体１１と、該発光体１１が取り付けられた発光体取付材１２と、発光体１１を覆うように発光体取付材１２の発光体取付面に沿って配設された光拡散板１３と、を有して、発光体１１の光照射方向を同じ側に向けて放射状に配設された複数の疑似花弁１０を備える。さらに、放射状に配設された複数の疑似花弁１０の中心に配設された疑似花芯部２０と、発光体取付材１２と疑似花芯部２０とを接続したパイプ材３０と、を備える。光拡散板１３は、前記放射方向に略直交し、かつ、板面に沿った方向から視て、発光体１１側の面が凸となるように湾曲している。【選択図】図４
2014091885.tif 000002
【特許請求の範囲】
【請求項１】
発光体と、該発光体が取り付けられた発光体取付材と、前記発光体を覆うように前記発光体取付材の発光体取付面に沿って配設された光拡散板と、を有して、前記発光体の光照射方向を同じ側に向けて放射状に配設された複数の疑似花弁と、
前記放射状に配設された複数の疑似花弁の中心に配設された疑似花芯部と、
前記発光体取付材と前記疑似花芯部とを接続した接続材と、
を備える照明装置。
【請求項２】
請求項１に記載の照明装置において、
前記光拡散板は、前記放射方向に略直交し、かつ、板面に沿った方向から視て、発光体側の面が凸となるように湾曲している、照明装置。
【請求項３】
請求項２に記載の照明装置において、
前記発光体は、互いに並列接続により電流が給電されるように回路構成され、
前記接続材は、導電性のパイプ材が使用されて前記給電用のマイナス極を兼ねるとともに、前記接続材の内部に前記給電用のプラス極の配線が挿通された、照明装置。
【請求項４】
請求項２又は３に記載の照明装置において、
前記光拡散板は、前記接続材が貫通して嵌着する２つの円孔と、両円孔間に亘って形成されたスリットと、を有する、照明装置。
【請求項５】
請求項１〜４の何れか１項に記載の照明装置において、
前記パイプ材の少なくとも一端部が竹槍状とされ、当該端部が前記発光体取付材に形成された接続孔に圧入された照明装置。
【請求項６】
請求項１〜５の何れか１項に記載の照明装置を灯体として備える照明スタンド。
【発明の詳細な説明】
【技術分野】
【０００１】
本発明は、照明装置および該照明装置を備えた照明スタンドに関する。特に、発光する造花部を有する照明装置および照明スタンドに関する。
【背景技術】
【０００２】
特許文献１，２には、ＬＥＤを発光体として備えた電飾造花が開示されている。これらの電飾造花は、造花部内に設置したＬＥＤを発光させることで装飾効果を得るものであり、一般に、屋内での観賞用置物として使用される。
【先行技術文献】
【特許文献】
【０００３】
【特許文献１】実開平５−７７２１２号公報
【特許文献２】特開２００３−２８６６０９号公報
【発明の概要】
【発明が解決しようとする課題】
【０００４】
ところで、上記従来の電飾造花は、ＬＥＤを点灯させることで花弁等を美しく照らし、装飾効果を引き立てるようにしているが、単にＬＥＤの発光によって花弁等を照らすという在り来りの装飾効果しか得られず、ＬＥＤを点灯させた状態での外観デザインの意外性、独創性などに乏しいものであった。また、上記電飾造花は、照明スタンド等の照明装置として使用できるものではなかった。
【０００５】
本発明は、かかる実情等に鑑みて創案されたものであり、発光する造花部を有し、発光時における当該造花部の装飾性、意外性などに優れた照明装置および照明スタンドを提供することを目的としている。
【課題を解決するための手段】
【０００６】
本発明の照明装置は、発光体と、該発光体が取り付けられた発光体取付材と、前記発光体を覆うように前記発光体取付材の発光体取付面に沿って配設された光拡散板と、を有して、前記発光体の光照射方向を同じ側に向けて放射状に配設された複数の疑似花弁を備え、前記放射状に配設された複数の疑似花弁の中心に配設された疑似花芯部と、前記発光体取付材と前記疑似花芯部とを接続した接続材と、をさらに備えるものである。
【０００７】
かかる構成を備える照明装置によれば、発光体の光は、光拡散板を通過することで拡散されるため、点光源が使用されていても光拡散板によって光が十分に拡散される。これにより、光源を直接目視したときの眩しさが軽減され、多重影の発生も軽減される。また、発光体の光の一部が、光拡散板内を通って光拡散板の基端部近傍で漏出するため、疑似花芯部の近傍に集光したような状態が形成され、装飾性、意外性に優れた光装飾効果が得られる。
【０００８】
また、本発明の照明装置は、上記構成を備えるものにおいて、前記光拡散板が、前記放射方向に略直交し、かつ、板面に沿った方向から視て、発光体側の面が凸となるように湾曲しているものであることが望ましい。
【０００９】
かかる構成を備える照明装置によれば、発光体から出て光拡散板で拡散された光の一部が再び光拡散板の基端部近傍に入るため、既述の集光したような状態が一層強められる。
【００１０】
また、本発明の照明装置は、上記いずれかの構成を備えるものにおいて、前記発光体は、互いに並列接続により電流が給電されるように回路構成され、前記接続材は、導電性のパイプ材が使用されて前記給電用のマイナス極を兼ねるとともに、前記接続材の内部に前記給電用のプラス極の配線が挿通されたものであることが望ましい。
【００１１】
かかる構成を備える照明装置によれば、パイプ材の外径を小さくできるので、パイプ材が光拡散板の光り方に影響を及ぼし難くなるという利点がある。
【００１２】
また、本発明の照明装置は、上記いずれかの構成を備えるものにおいて、前記光拡散板は、前記接続材が貫通して嵌着する２つの円孔と、両円孔間に亘って形成されたスリットと、を有する、ものであることが望ましい。
【００１３】
かかる構成を備える照明装置によれば、パイプ材にネジ止め等の取付方法を用いることなく、光拡散板をパイプ材に対して着脱可能に取り付けることができる。ネジ止め等の取付方法を用いると、ネジ等の部材が光拡散板の光り方に影響を及ぼす可能性があるが、この照明装置によれば、そのような懸念が解消される。
【００１４】
また、本発明の照明装置は、上記いずれかの構成を備えるものにおいて、前記パイプ材の少なくとも一端部が竹槍状とされ、当該端部が前記発光体取付材に形成された接続孔に圧入されたものであることが望ましい。
【００１５】
かかる構成を備える照明装置によれば、例えば、極小径のパイプ材を極薄板材からなる発光体取付材に接続することが容易になり、本装置の装飾性ないし意匠性の向上が図られる。
【００１６】
本発明の照明スタンドは、上記いずれかの照明装置を灯体として備えるものである。
【００１７】
かかる構成を備える照明スタンドによれば、既述した照明装置と同様の作用効果が得られる。
【発明の効果】
【００１８】
本発明によれば、発光する造花部の装飾性、意外性などに優れた照明装置、照明スタンドを提供することができる。
【図面の簡単な説明】
【００１９】
【図１】照明スタンドを側方から視た図である。
【図２】照明装置を上から視た図である。
【図３】照明装置を下から視た図である。
【図４】疑似花弁および疑似花芯部を側方から視た図である。但し、疑似花弁は１つのみ示しその他の疑似花弁は図示省略している。
【図５】照明装置の電気回路構成を示す図である。但し、光拡散板の図示は省略している。
【図６】暗い室内で照明装置の発光体を発光させて撮影した写真である。
【図７】本発明の実施の形態に係る疑似花弁とその変形例に係る疑似花弁を並べて示した図である。
【発明を実施するための形態】
【００２０】
以下、本発明の実施の形態に係る照明装置および照明スタンドについて図面を参照しながら説明する。図１は、本発明の実施の形態に係る照明装置１００を備えた卓上用の照明スタンド２００を示している。
【００２１】
図１〜図３に示すように、照明装置１００は、複数の疑似花弁１０、１つの疑似花芯部２０、複数のパイプ材（接続材）３０等で主に構成されている。照明スタンド２００としては、上記照明装置１００のほか、台座４０、支柱部５０、アーム部６０等が備わっている。
【００２２】
疑似花弁１０は、図２および図３に示すように、花弁の形を模擬したものであり、疑似花芯部２０の周囲に等間隔にて複数（図示する例では９個）配設されている。各疑似花弁１０は、発光体１１、発光体取付材１２、光拡散板１３等で構成されており、発光体１１の光照射方向を同じ側に向けて放射状に配設されている。
【００２３】
発光体１１としては、本実施形態では、ＬＥＤを使用している。この発光体１１は後述する発光体取付材１２の片面に固定されている。使用するＬＥＤの種類は特に限定されないが、例えば１Ｗ〜３Ｗのものを使用でき、本実施形態では３Ｗのものを使用している。この程度のＬＥＤであれば、よりハイパワーのＬＥＤと比べて放熱対策の必要性が少なく、疑似花弁１０（特に発光体取付材１２）のサイズを薄く小さくすることができる。その結果、照明装置１００および照明スタンド２００の外観デザインの幅、柔軟性が広がる。また、３ＷのＬＥＤを１Ｗ程度で駆動することにより、サイズの小さな発光体取付材（ヒートシンク）１２でも十分な放熱が可能となる。３ＷのＬＥＤを１Ｗ程度で駆動すると、発光効率が良好となり、当該ＬＥＤが数個あれば、卓上用の照明スタンドとしては、十分な光量が得られる。なお、発光体１１としてＬＥＤのほか有機ＥＬ等を採用することも可能である。
【００２４】
全ての発光体１１は、互いに抵抗７１を介して並列接続され、直流電流ないし変調されたパルス電流が給電されるように回路構成されている。また、構造体となるパイプ材３０、アーム部６０等に導電性の材料を使用し、マイナス極を兼ねさせるとともに、図５に示すように、プラス極となる電線７０をこれらパイプ材３０、アーム部６０の空洞内を挿通している。このように、全ての発光体１１とバッテリとを並列接続して給電すれば、直列接続を採用して同じ光量を得る場合と比較して、パイプ材３０内を挿通する電線径を小さくすることができ、ひいては、使用するパイプ材３０の内外径を小さくすることができる。
【００２５】
全ての発光体１１の光軸（拡散光のなかで最も光が強くなる方向）は、図１の矢印Ａに示すように、下方に向かって疑似花芯部２０の中心を通過する鉛直線Ｅ側に傾斜（例えば鉛直線Ｅに対する傾斜角を５°程度に設定）している。このように発光体の光軸を設定することで、仮に、光拡散板１３と発光体取付材１２との間に隙間があっても、当該隙間から漏出し光拡散板１３の表面で反射した光を直視してしまうことを防止することができる。
【００２６】
発光体取付材１２は、本実施形態では、発光体１１から発生する熱を放熱する板状ヒートシンクとしている。この発光体取付材１２には、アルミ製の基板（例えば板厚１．６ｍｍ〜２．０ｍｍのもの）からなるものが用いられている。図２および図３に示す発光体取付材１２には、装飾目的で略星型のものが採用されている。なお、発光体取付材１２として、熱伝導率がアルミより優れた銅板を用いてもよい。放熱を必要としない発光体１１を採用する場合は、発光体取付材１２として、一般的なガラスエポキシ製の基板等を用いることもできる。また、発光体取付材１２と別の板材とでパイプ材３０を挟み込んで接着するなどの構造を採用してもよい。更にまた、比較的板厚の大きなアルミ製ヒートシンクを構造部材としてパイプ材３０に接合し、発光体取付材１２の発光体１１が取付けられていない側の面を上記アルミ製ヒートシンクに接着した構造を採用してもよい。
【００２７】
光拡散板１３は、発光体１１が発光した光を通過させることにより、その光を拡散させるものであり、発光体１１を覆うように、発光体取付材１２の発光体取付面に沿って配設されている。ＬＥＤ等は発光部分が小さく、ＬＥＤ素子に封入された蛍光体である程度光拡散効果が得られても、点光源のようにふるまってしまう。光量が同じ場合、面光源に対し、点光源の光は相当強いため、これを直接目視すると残像が残ったり、目に対する影響が無視できない。また、複数の発光体１１を設けたことで、複数の点光源がそれぞれ発光すると、光源の数だけ影を生じる多重影が発生してしまう。光拡散板１３は、点光源から出た光を拡散して（ＬＥＤ等の発光体１１の照射角（１２０°程度）を疑似的に広げて）光源を目視したときの眩しさを軽減し、併せて多重影の発生も軽減する役割を果たす。なお、図示する光拡散板１３は、図２に示すように、上から視ると、中間部所定位置で最大幅を形成し、最大幅部から基端部１３ｃに向かって一定サイズまで幅が縮小し、また最大幅部から先端部１３ｄに向かっては略ゼロまで幅が縮小している。
【００２８】
光拡散板１３に用いる材料としては、２枚の透明塩ビ板で和紙を挟んでなる板材を使用することができる。その他、光拡散板１３に用いることが可能な材料としては、半透明の素材（ポリ塩ビなど）、透明材料の表面を処理して光を拡散させる作用を付加したもの（すりガラス、表面をシボ加工したＰＥＴ樹脂など）、不透明材料を薄く加工して光の透過性を持たせたもの（木を薄く削ったものなど）などもある。
【００２９】
複数の光拡散板１３は、疑似花芯部２０を中心として放射状に延びている。各光拡散板１３は、放射方向に略直交し、かつ、板面に沿った方向から視て、発光体１１側の面が凸となるように湾曲している（図４（ａ）参照）。この光拡散板１３の湾曲は、パイプ材３０に取付ける前（図４（ｂ）参照）よりも取付けた後（図４（ａ）参照）の方が湾曲度が大きい。つまり、光拡散板１３は、取り付ける際に外力によって弾性的に湾曲され、取り付けた後の光拡散板１３に復元力を持たせるようにしている。そして、光拡散板１３の基端部１３ｃ側（図４参照）が疑似花芯部２０の側面に押し当てられていることにより、円孔１３ａおよびスリット１３ｂよりも先端部１３ｄ側部分が上記復元力によって発光体１１に密着し易くなるようにしている。光拡散板１３が発光体１１に密着することで、発光体１１の光軸と、光拡散板１３の面とが直交するようになり、より好適な光拡散効果が得られるようになる。
【００３０】
疑似花芯部２０は、後述するアーム部６０の先端に接続されており、円弧状に湾曲したパイプ材３０を介してその周囲に複数の疑似花弁１０を支持している。疑似花芯部２０の形状としては、略円柱状、略円錐状、略多角柱状などが採用され、必要に応じてこれらの中空材、中実材が使い分けられる。本実施形態の疑似花芯部２０は、図示するように、略円柱状の中空材であって側面が若干下に向かって中心側に傾斜した形状のものが採用されている。
【００３１】
パイプ材３０は、疑似花弁１０毎に設けられており、発光体取付材１２と疑似花芯部２０とを接続する接続材として機能している。パイプ材３０の両端部は、発光体取付材１２および疑似花芯部２０に形成された接続孔にそれぞれ圧入され、これにより発光体取付材１２等がパイプ材３０に対して回転することが抑止される。また、上記圧入を容易にするために、パイプ材の両端部は、図５に示すように、竹槍状とされている。
【００３２】
照明スタンド２００において、光拡散板１３のデザインが全体の印象に及ぼす影響は大きく、光拡散板１３のデザインを変えると、様々に照明スタンド２００の印象を変えることができ、様々なユーザの嗜好に応えて商品性を向上させることができる。この点に鑑みて本実施形態では、光拡散板１３を容易に交換することができる構造を採用している。具体的には、光拡散板１３に、パイプ材３０が貫通する２つの円孔１３ａと、両円孔１３ａ間に亘って形成したスリット１３ｂを設けている。光拡散板１３をパイプ材３０に取付けるに当たっては、光拡散板１３のスリット１３ｂにパイプ材３０を上から下に通過させ、光拡散板１３の２つの円孔１３ａにパイプ材３０を嵌着させる。その結果、２つの円孔１３ａがパイプ材３０をグリップして光拡散板１３がパイプ材３０に留め付けられる。かかる取付構造によれば、パイプ材３０にネジ止め・接着等の方法を用いることなく、光拡散板１３をパイプ材３０に対して着脱可能に取り付けることができ、装飾性ないし意匠性の向上が図られる。
【００３３】
照明スタンド２００は、図１に示すように、上記照明装置１００のほか、台座４０、支柱部５０、アーム部６０等を備え、これらによって、上記照明装置１００を所定の高さ位置に保持している。台座４０は、机上等の平坦な面上に載置され、照明スタンド２００全体の重量を支持する。支柱部５０は、台座の上面から鉛直方向に立設されており、その内部に図示しない、電池（例えば上下に並べて配置された２本の単四電池）、電池をセットした電池ボックス等を収容している。支持部５０は上下にスライド可能な円筒状のカバー５２と、その内部の構造５３（上記電池等を含む）とで構成されており、図１に示すよう状態からカバー５２を上方にスライドすることで、電池等を取り出すことができる。
【００３４】
支柱部５０のカバー５２を上方にスライドさせる際、湾曲したアーム部６０が邪魔になるが、本実施形態では、アーム６０を支柱部５０から取り外すことでカバー５２を上方にスライドすることが可能となっている。すなわち、アーム部６０と支柱部５０とが抜き差し可能な構造となっている。具体的には、図１に示すように、支柱部５０内に、ジャックの雌側５１が内装されており、アーム部６０の基端部に設置されたジャックの雄側６１と鉛直方向に抜き差し可能に接続されている。ジャック５１，６１としては、例えば３極ステレオジャックを使用することができる。これにより、機械強度を十分に得ながら、アーム部６０を支柱部５０に対して軸回りに回転自在とすることができる。電気的には３極使用可能なうち、２極を電源＋、電源−として使用する。また、アーム部６０を支柱部５０に対して着脱可能にしたことで、照明装置１００およびアーム部６０が自在に交換可能となる。例えば、ＬＥＤ発光色を違ったものに取り替えたり、照明装置１００のデザインを異なるものに変更することなどが容易に行えるようになる。なお、４１は、照明装置１００の発光体１１を点灯消灯させるためのスイッチである。
【００３５】
以上の構成を備える照明スタンド２００において、スイッチ４１を操作して発光体１１を発光させると、その光は、光拡散板１３を通過することにより拡散されて机上を照らす。発光体１１としてＬＥＤが使用されていても光拡散板１３によって光が十分に拡散されるため、光源を目視したときの眩しさが軽減され、多重影の発生も軽減される。
【００３６】
また、複数の光拡散板１３は、疑似花芯部２０を中心として放射状に延びており、さらに、既述したように湾曲しているため、発光体１１から出て光拡散板１３で拡散された光の一部は、図４（ａ）の矢印Ｃに示す方向に進んで、再び光拡散板１３の基端部１３ｃ近傍に入る。このため、図６に示すように、疑似花芯部２０の近傍で光拡散板１３が光って花の中心部に集光したような様子が実現され、各光拡散板１３の発光体１１近傍の光と相俟って装飾性、意外性に優れた光装飾効果が得られる。また、発光体１１の光の一部は、光拡散板１３内を通って基端部１３ｃ近傍で光拡散板１３から漏出するが、このような光も微力ながら上記の集光効果に寄与している。
【００３７】
また、本実施形態に係る照明スタンド２００においては、全ての発光体１１と電源とを並列接続して給電するとともに、パイプ材３０内に発光体１１の給電用の電線（プラス電極）を挿通し、パイプ材３０にマイナス極を兼ねさせたものとしているので、直列接続を採用して同じ光量を得るようにした場合と比較して、パイプ材３０の外径を小さくすることができる。これにより、パイプ材３０が目立たなくなり、意匠性が向上するとともに、光拡散板１３で拡散された光（特に図４（ａ）の矢印Ｃに示す方向に進む光）が再び光拡散板１３の基端部１３ｃに入り易くなり、上記集光による光装飾効果が一層向上する。
【００３８】
＜疑似花弁の変形例＞
図７（ａ）に、既述した疑似花弁１０の模式図を、図７（ｂ）に、疑似花弁１０の変形例に係る疑似花弁１０Ａを示す。変形例に係る疑似花弁１０Ａは、既述の疑似花弁１０と比較して、光拡散板１３Ａの厚みを増し、発光体１１の光が入射する部分に凹部１３Ａｅを設けたものとなっている。これにより、当該凹部１３Ａｅに入射する光のうち、光拡散板１３Ａの面に平行な方向に光拡散板１３Ａ内を進む光の量が増加するようになる。これにより、光拡散板１３Ａ内を通って基端部１３ｃ近傍で光拡散板１３から漏出する光の量が増すため、仮に上記光拡散板１３Ａの湾曲度合いが小さくても上記集光による光装飾効果が得られ易くなる。なお、上記凹部１３Ａｅの詳細形状は、上記作用効果を奏するものであれば特に限定されないが、具体例として、略半球面状、上記放射方向に略直交する方向に延在する略半円筒面状等が挙げられる。
【００３９】
以上の実施形態では、卓上用の照明スタンド２００を例に挙げて説明したが、本発明の照明スタンドは、卓上用に限定されず、その他の照明スタンド（例えばフロアスタンドなど）にも適用可能である。また、本発明の照明装置１００は、照明器具全てに適用可能である。
【符号の説明】
【００４０】
１０，１０Ａ    疑似花弁
１１    発光体
１２    発光体取付材
１３，１３Ａ    光拡散板
１３ａ    円孔
１３ｂ    スリット
１３ｃ    基端部
１３ｄ    先端部
２０    疑似花芯部
３０    パイプ材
７０    電線
１００    照明装置
２００    照明スタンド
【図１】
2014091885.tif 000003
【図２】
2014091885.tif 000004
【図３】
2014091885.tif 000005
【図４】
2014091885.tif 000006
【図５】
2014091885.tif 000007
【図７】
2014091885.tif 000008
【図６】
2014091885.tif 000009